(57)【要約】【課題】容器内での内容物の形態の変化を抑え、他の正常な内容物に対しコンタミとなって混入するのを防ぐことにある。【解決手段】この容器２１は、容器本体２３と、蓋体３１とを備えている。容器本体２３は、内容物を出し入れ可能な開口部２５を有する。蓋体３１は、開口部２５を塞ぐよう開口部２５に装着される。そして、蓋体３１は、開口部２５に装着された装着状態で、開口端部２６の内壁２７に沿って延びるとともに少なくとも一部が内壁２７に全周わたって密着可能であり容器本体２３内の内容物が開口端部２６の内壁２７との間に進入するのを防ぐ進入防止部３７を有している。【選択図】      図４
2004182299.tif 000002
【特許請求の範囲】
【請求項１】
内容物を出し入れ可能な開口部を有する容器本体と、
前記開口部を塞ぐよう前記開口部に装着される蓋体とを備え、
前記蓋体は、前記開口部に装着された装着状態で、前記開口部の端部の内壁に沿って延びるとともに少なくとも一部が前記内壁に全周にわたって密着可能である進入防止部を有している、
容器。
【請求項２】
前記進入防止部は、下端部が前記開口部の端部の内壁に全周にわたって密着可能であるとともに、前記容器の開口部を塞ぐ蓋本体部と一体に形成されている、請求項１に記載の容器。
【請求項３】
前記進入防止部は、前記開口部の端部の内壁との間に、隣接する上方部及び下方部との間よりも大きい隙間を形成可能な隙間保持部を有している、請求項１または２に記載の容器。
【請求項４】
前記容器本体は、内壁全体を覆うとともに前記開口部の端部の外側にかけて延びるよう配置されるシート状物を有している、請求項１から３のいずれかに記載の容器。
【請求項５】
前記内容物は、ポリテトラフルオロエチレン粉末である、請求項１から４のいずれかに記載の容器。
【請求項６】
前記装着状態の前記蓋体を覆うよう前記容器本体の開口部に装着される外蓋をさらに備えた、請求項１から５のいずれかに記載の容器。
【請求項７】
前記容器本体及び外蓋は、樹脂成形品である、請求項６に記載の容器。
【発明の詳細な説明】
【０００１】
【発明の属する技術分野】
本発明は、容器に関する。
【０００２】
【従来の技術】
合成樹脂の粉末原料等を保存、運搬するための手段として、容器本体及び蓋体で構成される容器が用いられている（例えば、特許文献１及び２参照。）。容器本体は、通常、一方側が開口されてなる開口部を有する円筒形状に形成され、開口部から内容物を出し入れ可能である。蓋体は、通常、円板形状であり、容器本体の開口部を覆うよう外周部が開口部の端部（以下、開口端部ともいう。）に装着される。
【０００３】
従来の容器として、例えば、図１に示すような容器本体３及び蓋体１１からなる容器１がある。この容器１では、蓋体１１の外周部に設けられたネジ５ａが容器本体３の開口部５に螺合することにより、蓋体１１が容器本体３に装着される。容器本体３の開口端部１５の外周面には、蓋体１１のネジ５ａに螺合するネジ１４ａが形成されるとともに蓋体１１の外周部の内側部分に当接してシールするためのＯリング等のパッキン９が装着されている。また、蓋体１１は、開口端部１５から内周側にかけて容器本体３の底面側に凹んだ窪み部１７が形成されている。
【０００４】
【特許文献１】
特開２００１−１７１６７２号公報
【０００５】
【特許文献２】
特開２００１−５８６５９号公報
【０００６】
【発明が解決しようとする課題】
一般に、容器本体の内容物が粉末状物である場合、保存、運搬中等に、内容物の一部が蓋体と容器本体の開口端部との間に進入して容器本体と蓋体とに圧接されることにより、細長い形状となったり、繊維化したり、塊状化する場合がある。そして、このように形態が変化した粉末状物が他の正常な粉末に混入し原料として使用されると、樹脂成形体を製造した際に、成形不良が起きる等の不都合が生じる。
【０００７】
例えば、上記従来の容器１では、蓋体１１の窪み部１７と容器本体３側の壁面と容器本体３の開口端部１５との間に進入した粉末状物が、運搬中に窪み部１７と開口端部１５との隙間において圧接力を受けて、変形してしまうことがある。本発明の目的は、容器内での内容物の形態の変化を抑え、他の正常な内容物に対し混入するのを防ぐことにある。
【０００８】
【課題を解決するための手段】
請求項１に係る容器は、容器本体と、蓋体とを備えている。容器本体は、内容物を出し入れ可能な開口部を有する。蓋体は、開口部を塞ぐよう開口部に装着される。蓋体は、開口部に装着された装着状態で、開口部の端部の内壁に沿って延びるとともに少なくとも一部が内壁に全周にわたって密着可能である進入防止部を有している。なお、本発明において、「開口端部」というときは、当該端部の先端部分の端面のみでなくその端面に隣接して延びる側面等の周辺部分も含む。
【０００９】
この容器は、内容物を開口部から容器本体内に収納し、次いで蓋体を開口部に装着することで密閉される。このような装着状態では、蓋体の進入防止部は、その少なくとも一部が全周にわたって容器本体の内壁に密着している。このため、この容器では、容器本体内の内容物は、運搬中等に開口部付近に移動した場合でも、蓋体と開口端部との間に進入できないようになっている。
【００１０】
このため、この容器では、内容物が、蓋体及び開口端部から圧接力を受けて繊維化、塊状化等するのを防ぐことができ、したがって、形態が変化した内容物が正常な内容物に混入してしまうこともない。
請求項２に係る容器は、請求項１の容器において、進入防止部は、下端部が前記開口部の端部の内壁に全周にわたって密着可能であるとともに、前記容器の開口部を塞ぐ蓋本体部と一体に形成されている。
【００１１】
この容器では、具体的に、蓋体の進入防止部と蓋本体部とが合流する部分が容器本体の内壁と密着可能であることにより、内容物の進入防止を図ることができる。
請求項３に係る容器は、請求項１または２の容器において、進入防止部は、開口部の端部の内壁との間に、隣接する上方部及び下方部との間よりも大きい隙間を形成可能な隙間保持部を有している。
【００１２】
この容器では、蓋体が容器本体に嵌合的に装着されるよう構成された場合でも、隙間保持部により、蓋体を容器本体に容易に嵌め込みまたは取り外すことができ、脱着作業が容易になる。
請求項４に係る容器は、請求項１から３のいずれかの容器において、内壁全体を覆うとともに開口端部の外側にかけて延びるよう配置されるシート状物を有している。
【００１３】
この容器では、容器の再利用の観点から、内容物が容器本体に直接触れることがないよう、シート状物が容器本体の内壁全体を覆って外側まで延びて配置されている。
ここでは、シート状物は、蓋体の進入防止部と容器本体の開口端部との間に介在するが、シート形状であるため進入防止部に沿って変形しやすく、蓋体とシート状物との間に隙間が生じるのをより有効に抑えて内容物の繊維化等を抑えることができる。また、シート状物を新しいものと交換することで、新たな内容物を容器本体内に配置できるため、容器本体及び蓋体の再利用を容易に行うことができるとともに、シート状物に付着して残存する内容物と新たに配置した内容物とが混合されるのを防ぐことができる。さらに、容器本体が内容物から遮断されているため、容器本体に可塑剤等が含まれている場合でも、内容物が容器本体に接触して可塑剤等が内容物に混入するのを防止することができる。
【００１４】
請求項５に係る容器は、請求項１から４のいずれかの容器において、内容物は、ポリテトラフルオロエチレン（以下、ＰＴＦＥ）粉末である。
ＰＴＦＥ粉末は、通常の状態では微粒子の形態であるが、圧接されると容易に変形して、繊維化、塊状化する性質を有している。特に、乳化重合で得られるＰＴＦＥ成型用粉末（ＰＴＦＥファインパウダー）の場合は、かかる性質が顕著である。
【００１５】
ここでは、特に、このようなＰＴＦＥ粉末の運搬等に用いられる容器において、内容物の形態の変化が抑えられる。
請求項６に係る容器は、請求項１から５のいずれかの容器において、外蓋をさらに備えている、外蓋は、装着状態の蓋体を覆うよう容器本体の開口部に装着される。
【００１６】
この容器では、蓋体は、内蓋として機能しており、外蓋との組み合わせによる設計の自由度が増す。また、この容器では、外蓋により、蓋体が容器本体に対し相対回転してしまうのを防止することができる。
請求項７に係る容器は、請求項６の容器において、容器本体及び外蓋は、樹脂成形品である。
【００１７】
従来の容器として、容器本体の底面及び外蓋が金属製で筒状部分が紙製の円筒形状のものがあるが、このような容器は、異種材料で構成されるために、その回収の際に分別作業が必要となる等の不都合が生じ、リサイクルが容易ではない。この容器では、樹脂成形品により容器本体及び蓋体が構成されているため、リサイクルが容易になる。また、外蓋は、蓋体によって内容物から遮断されているため、外蓋に可塑剤等の物質が含まれている場合でも、内容物が外蓋に接触して可塑剤等が内容物に混入するのを防止することができる。
【００１８】
【発明の実施の形態】
図２から図４に、本発明の一実施形態が採用された容器２１を示す。
この容器２１は、樹脂成形品等の原料となる粉末状物（例えば、ＰＴＦＥファインパウダー）の保存、運搬等に用いられるものであって、容器本体２３と、外蓋３３と、内蓋３５とを備えている。
【００１９】
容器本体２３は、一方の底面部分が開口されて開口部２５が設けられた円筒形状であり、内容積５９ｌ程度のポリプロピレン（以下、ＰＰ）製の成形品である。粉末状物は、開口部２５から容器本体２３内に出し入れ可能である。開口端部２６の外周面には蓋体３１が装着されるためのネジ２６ａが形成されている。なお、本実施形態において、開口端部２６には、先端面（図中、容器本体２３の最上端に位置する横方向に延びる端面）のみでなく、その先端面に隣接する側面部分（図中、容器本体２３の上下方向に延びる外壁及び内壁の上方部分）であって、容器本体２３に装着された内蓋３５の進入防止部３７（後述）に対向する上下方向位置まで延びる部分も含まれる。
【００２０】
また、容器本体２３は、ポリエチレン製の内袋（以下、ＰＥ袋）４１を有している。ＰＥ袋４１は、粉末状物が容器本体２３に直接接しないよう、容器本体２３の内壁２７全体を覆うとともにその外周部は開口端部２６の外側まで延びて配置されている。
外蓋３３は、容器本体２３の開口部２５の形状に対応するよう形成された円板状部材であり、容器本体２３と同様、ＰＰ製の成形品である。外蓋３３の外周部には、一方側に屈曲して延びる装着部３４が形成されており、装着部３４の内周面には容器本体２３のネジ２６ａと螺合可能なネジ３４ａが形成されている。
【００２１】
内蓋３５は、容器本体２３の開口部２５を塞いで密閉するためのものであり、外蓋３３と同様、容器本体２３の開口部２５の形状に対応するよう形成されたＰＰ製の円板状部材である。内蓋３５は、内周側の円板状に形成された蓋本体部３８と、外周部が鍵型に折り返されてなる装着部３６とを有している。装着部３６は、外蓋３３が内蓋３５を介して容器本体２３に装着可能となるような形状に形成されている。内蓋３５は、この装着部３６により、外蓋３３が装着されずとも単独で容器本体２３を密閉することができる。
【００２２】
内蓋３５の装着部３６は、容器本体２３内の粉末状物が内蓋３５とＰＥ袋４１との間に進入するのを防止するための進入防止部３７を有している。進入防止部３７は、概ね開口端部２６の内壁２７に沿って延びるよう形成されており、壁部３９と、隙間保持部３９ａとを有している。壁部３９は、進入防止部３７の上下方向に延びる部分であり、ＰＥ袋４１を介して開口端部２６の内壁２７に全周にわたって密着可能である。隙間保持部３９ａは、進入防止部３７において壁部３９よりも内周側に凹んだ部分であり、開口端部２６の内壁２７との間に僅かな隙間を保持することができる。
【００２３】
このように構成された容器２１を使用する場合は、開口部２５から粉末状物を容器本体２３内に配置し、次いで、内蓋３５を開口端部２６に装着して容器本体２３を密閉し、内蓋３５の外方から外蓋３３を容器本体２３に装着する。
この容器２１では、内蓋３５が容器本体２３に装着された装着状態では、壁部３９がＰＥ袋４１を介して開口端部２６の内壁２７と密着しているため、容器本体２３内の粉末状物は、保存、運搬中の振動により容器本体２３の開口部２５まで移動しても、内蓋３５とＰＥ袋４１との間（特に、内蓋３５の壁部３９とこれに対向するＰＥ袋４１の部分との間）に進入するのが抑えられる。このため、粉末状物は、内蓋３５及び開口端部２６から圧接力を受けて繊維化したり塊状化したりすることがなく、したがって、形態が変化した粉末状物が正常な粉末状物中に混入することもない。
【００２４】
また、この容器２１では、内蓋３５の進入防止部３７により、従来の容器のようにＯリング等を用いずとも容器２１の外部からの異物の進入を防止することもできる。
さらに、この容器２１では、外力を受ける等して容器本体２３が変形した場合でも、開口端部２６の内壁２７に沿って進入防止部３７が変形するため、壁部３９がＰＥ袋４１を介して内壁２７と密着した状態を維持することができ、従来のように容器本体２３と内蓋３５との間に隙間が生じることがなく、容器２１の気密性が保持される。
【００２５】
［他の実施形態］
（ａ）進入防止部は、図５から７に示すように、構成されてもよい。図５に示す例では、進入防止部５７には、上記実施形態の壁部及び隙間保持部に代えて環状に突起して形成された当接部５９を有している。図６に示す例では、進入防止部７７において隙間保持部７９ａの下方の当接部７９と蓋本体部７８との間にはテーパ部８０が形成されている。図７に示す例では、進入防止部９７において隙間保持部９９ａの下方の当接部９９と蓋本体部９８とは互いに隣接する部分が湾曲して形成されている。そして、図５〜図７に示す例では、いずれも各当接部５９，７９，９９が開口端部の内壁に密着可能であり、内蓋と内袋との間に粉末状物が進入するのを抑えることができる。
【００２６】
（ｂ）内蓋は、それ自体で外蓋の機能も兼ねるよう構成されてもよい。
（ｃ）内容物は、ＰＴＦＥファインパウダーに限定されるものではい。
【００２７】
【発明の効果】
本発明によれば、蓋体の進入防止部は、その少なくとも一部が全周にわたって容器本体の内壁に密着しているため、この容器では、容器本体内の内容物は、運搬中等に開口部付近に移動した場合でも、蓋体と開口端部との間に進入できないようになっている。このため、この容器では、内容物が、蓋体及び開口端部から圧接力を受けて繊維化、塊状化等するのを防ぐことができ、したがって、形態が変化した内容物が正常な内容物に混入してしまうこともない。
【図面の簡単な説明】
【図１】従来の容器の要部を示す縦断面図。
【図２】本発明の一実施形態による容器を示す正面図。
【図３】前記容器を示す分解縦断面図。
【図４】前記容器を示す要部縦断面図。
【図５】前記容器の他の実施形態を示す要部縦断面図。
【図６】前記容器の他の実施形態を示す要部縦断面図。
【図７】前記容器の他の実施形態を示す要部縦断面図。
【符号の説明】
２１  容器
２３，４３，６３，８３  容器本体
２５  開口部
２６  開口端部
２７  内壁
３３，５３，７３，９３  外蓋
３５，５５，７５，９５  内蓋
３６，５６，７５，９５  蓋本体部
３７，５７，７７，９７  進入防止部
３９  壁部
５９，７９，９９  当接部
３９ａ，５９ａ，７９ａ，９９ａ  隙間保持部
４１，６１，８１，１０１  シート状物
【図１】
2004182299.tif 000003
【図２】
2004182299.tif 000004
【図３】
2004182299.tif 000005
【図４】
2004182299.tif 000006
【図５】
2004182299.tif 000007
【図６】
2004182299.tif 000008
【図７】
2004182299.tif 000009